(57)【要約】【課題】下流の急激な減圧やある一定以上の外力が加わったときにホースが外れたときに直ちに過放出を過流防止する機能を働かせて過剰放出を阻止できるようにする。【解決手段】高圧ホース５０の先端に設けたプラグ４３を受け入れて係止し、高圧ホース５０を保持する結合ボディ４０と、結合ボディ４０を容器バルブに固定する取り付けハンドルナット４２と、結合ボディ４０のガス通路のチェンバに配置した閉止弁パッキン４５と、閉止弁パッキン４５をチェンバ内で中立位置に支持し通路を形成し、下流の異常減圧時に圧縮して閉止弁パッキン４５を結合ボディ４０の弁座に係合して流路を遮断するバネ４６とを含むガス供給手段を備える。ガス供給手段は、プラグ４３が前記結合ボディ４０に対し気密状態となって結合するようクリック機構を介して係止し、高圧ホース５０に過度な引き張り力が掛かった場合、クリック機構により結合が外れるようにする。【選択図】        図１
2004197763.tif 000002
【特許請求の範囲】
【請求項１】
液化石油ガス容器バルブより過放出過流防止機能付きホース接続金具であって、
高圧ホースの先端に設けられているプラグを受け入れて係止し、前記高圧ホースを保持する結合ボディと、
前記結合ボディを前記容器バルブに固定する取り付けハンドルナットと、
前記結合ボディのガス通路のチェンバに配置されている閉止弁パッキンと、
前記閉止弁パッキンを前記チェンバ内で中立位置に支持し通路を形成させ、下流の異常減圧時に圧縮されて前記閉止弁パッキンを前記結合ボディの弁座に係合させ流路を遮断させるバネと、
を含むガス供給手段を備えたことを特徴とする過放出過流防止機能付きホース接続金具。
【請求項２】
前記ガス供給手段は、プラグが前記結合ボディに対し気密状態となって結合されようクリック機構を介して係止されており、高圧ホースに過度な引き張り力が掛かった場合クリック機構により結合が外れるようにされている請求項１記載の過放出過流防止機能付きホース接続金具。
【発明の詳細な説明】
【０００１】
【発明の属する技術分野】
本発明は、ＬＰガス等の液体燃料容器に用いられる過放出過流防止機能付きホース接続金具に関する。
【０００２】
【従来の技術】
従来、例えば高圧ホース等による取付金具により、左ネジの締め付け作業でガス供給高圧管がＬＰガス容器バルブの高圧管結合部に結合される。このような場合、ＬＰガス容器バルブに接続された高圧ホースの下流が破損したような場合に過放出を阻止する機能を持つ別部品金具またはホース接続金具がいくつか提案されているが構造が簡単でないのが実情で今日あまり使用されていない。最近ホース金具式の製品もあるが、ＬＰガスの日常使用時に地震等の災害により供給管破損により大量過放出に対応し、また震度５以上の強震によりガス容器バルブ接続高圧ホースが強く引き張られた場合ホースプラグが外れ、同時にガスを止める。容器はチェン止めになっているが、止め金具が抜けたり，切れたり，または３０度以上傾いたりするとされている。このような場合に実力を発揮する。また、従来、ガス容器バルブ内に地震対策用のガス遮断機構を組み込んだものが開発されている。すなわちこのガス遮断機構は、ガス容器本体からバルブ出口へのガス通路のうち、安全弁への分岐点と開閉弁との間において、正常時の静止位置と異常時のガス遮断位置との間を移動可能なボール型の弁体を備えて成る。このとき、ガス容器本体からバルブの弁開閉部までの間のガス通路に出口方向に向かって通路が狭くなるテーパ部を設けると共に、通路内に自由に動くボール型の弁体を入れてあり、ガス流速が異常に早くなったとき、この弁体がテーパ部に当接してガスを遮断するものである。
【０００３】
【発明が解決しようとする課題】
しかしながら現在使用されている容器バルブは上記対策バルブではなく普通バルブが使用されている。そのために容器バルブ出口金具で、その目的をはたすものである。
【０００４】
本発明の目的は、下流に急激なガス圧の減少があったとき、またはある一定以上の外力が加わったときにホースが外れるようにしてしかもホースが外れるときに直ちに過放出を阻止する機能を働かせて過剰放出を阻止できるようにすることで過放出過流防止機能を十分に発揮させることができ、しかも製作コストも安くできる過放出過流防止機能付きホース接続金具を提供することである。
【０００５】
【課題を解決するための手段】
上記課題を解決するために、本発明においては、液化ガス容器用の過放出過流防止機能付きホース接続金具であって、
高圧ホース５０の先端に設けられているプラグ４３を受け入れて係止し、前記高圧ホース５０を保持する結合ボディ４０と、
前記結合ボディ４０を前記容器バルブに固定する取り付けハンドルナット４２と、
前記結合ボディ４０のガス通路のチェンバに配置されている閉止弁パッキン４５と、
前記閉止弁パッキン４５を前記チェンバ内で中立位置に支持し通路を形成させ、下流の異常減圧時に圧縮されて前記閉止弁パッキン４５を前記結合ボディ４０の弁座に係合させ流路を遮断させるバネ４６と、
を含むガス供給手段を備えたことを特徴とする。
また、前記ガス供給手段は、プラグ４３が前記結合ボディ４０に対し気密状態となって結合されようクリック機構を介して係止されており、高圧ホース５０に過度な引き張り力が掛かった場合クリック機構により結合が外れるようにされている。
【０００６】
上記構成によれば、ガス供給手段を備えたホース接続金具は、下流の異常減圧時にバネ４６が圧縮されて閉止弁パッキン４５を結合ボディ４０の弁座に係合させ流路を遮断させる。これにより、ボンベが転倒したりして高圧ホース５０が外れても、あるいは高圧ホース５０の先で破損等の故障があってもガスの放出を未然に食い止めることができる。
【０００７】
【発明の実施の形態】
以下に本発明の一実施の形態について、図面を参照して詳しく説明する。図１乃至図３において示される符号Ｐは、ガス発生液体を加圧下に収容している容器に結合されるバルブボディで、ボンベ結合用雄ねじ１によって図示しないボンベのガス出入口の雌ねじにねじ込んで結合される。またバルブ入口からバルブ出口の間にはガス通路が設けられ、このガス通路中間にはガス供給高圧管に結合される高圧管結合部が設けられ、ここにガス供給手段を備えたホース接続金具が取付けられている。またバルブボディＰ上端にはガス通路を閉塞乃至開放するためのシートパッキン８、バックパッキン１０、Ｏリング１１それぞれを備えた開閉弁が設けられている。バルブステム４の雄ねじにはグランドナット２の雌ねじが螺合している。この開閉弁のシートパッキン８側下端中央には、不図示の移動弁体を上弁座１７から離脱させるためのリセットピン１５を備えており、このリセットピン１５によって、バルブボディＰを容器に結合させた状態で転倒して残ガスを回収する際に回収経路を確保するものとしてある。
【０００８】
この閉塞弁は、バルブステム４、スピンドル３を介して結合されるハンドル１２によって上下させることができ、開閉弁が開のときに高圧管結合部が開放されてガスを放出する放出口が形成されるようにしてある。また、容器の異常高圧発生時に開放する安全バルブの安全弁は、安全弁バネ押さえ５の内側面に一端部が接する安全弁バネ７によって安全弁へのガス通路分岐部に設けられた安全弁座６に安全弁シートパッキン９を介して押しつけられて通路分岐部を塞いでいる。
【０００９】
ガス供給手段を備えたホース接続金具は、高圧ホース５０の先端に、末端にフランジ部を有する筒状のプラグ４３がカシメ固定され、筒周面に取り付けられている複数のＯリング４４を介して、筒状の結合ボディ４０内に気密状態に嵌挿固定されている。このときプラグ４３が前記結合ボディ４０に対し気密状態となって係止されよう押さえねじ４７、クリックバネ４８、クリックボール４９それぞれから成るクリック機構を介して嵌挿固定されており、ホース５０に過度な力が掛かり切断されるとクリック機構による係合が外れるようにされている。
【００１０】
結合ボディ４０は、ガス容器の高圧管結合部に対し、当該高圧管結合部にねじ込まれた断面略Ｔ字型筒状の取り付けハンドルナット４２を介して取付られている。このとき結合ボディ４０の周面に形成されている環状凹部に、取り付けハンドルナット４２の内周に突出形成してある環状突起部が係合された状態で固定されている。また、結合ボディ４０の先端開口側にはディスク状のゴムパッキンによるシールチップ４１が取り付けられ、高圧管結合部の内面テーパ部に気密状に圧接保持されている。そしてプラグ４３の先端開口側には、バネ４６を介してディスク状の閉止弁パッキン４５が取り付けられ、この閉止弁パッキン４５自体は、前記結合ボディ４０のガス通路のチェンバに配置されている。こうして閉止弁パッキン４５を前記チェンバ内で中立位置に支持し通路を形成させると共に、下流の異常減圧時にバネ４６の弾発力に抗して圧縮されて前記閉止弁パッキン４５を前記結合ボディ４０の弁座に係合させることでガス流路を遮断させるものとしてある。
【００１１】
次に、本発明に係るホース接続金具の使用・動作の一例について説明する。図２に示すように、ガスの通常使用時では、バネ４６の弾発力によって閉止弁パッキン４５は結合ボディ４０の弁座から離反され、高圧ホース５０とガス容器との間にガス通路が形成される。また、図３に示すように、強震により高圧ホースが結合ボディ４０から強く抜脱された場合、プラグ４３が結合ボディ４０から容易に外れ、ガス通路のチェンバ内のガス圧力によってバネ４６の弾発力に抗して閉止弁パッキン４５を結合ボディ４０の弁座に係合させ、流路を遮断させる。ガスの通常使用時においてもガス供給高圧管等の破損により大量のガスが放出される状態となったときには、ガス通路のチェンバ内のガス圧力によってバネ４６の弾発力に抗して閉止弁パッキン４５を結合ボディ４０の弁座に係合させ、流路を遮断させる。
【００１２】
【発明の効果】
以上詳しく説明したように本発明によれば、ある一定以上の外力が加わったときにホースが外れるようにし、しかもホースが外れたら、直ちに過放出を阻止する機能を働かせて過剰放出を阻止できるようにすることで過放出過流防止機能を十分に発揮させることができ、しかも製作コストも安くできる。例えば、ボンベが転倒したりしてホースが外れても、あるいはホースの先で破損等の故障があっても容易にガスの放出を止めることができる。
【図面の簡単な説明】
【図１】本発明の一実施の形態におけるホース接続金具をＬＰガス容器に結合し、ホースを接続した状態を示す一部切欠断面図である。
【図２】同じく閉止弁パッキングが正常位置にあり、ガス流路を形成した状態を示す断面図である。
【図３】同じく閉止弁パッキングが弁座に係合して、ガス放出を遮断した状態を示す断面図である。
【符号の説明】
１  バルブボディ
１Ａ  ボンベ結合ねじ
２  グランドナット
３  スピンドル
４  バルブステム
５  安全弁バネ押さえ
６  安全弁座
７  安全弁バネ
８  シートパッキン
９  安全弁シートパッキン
１０  バックパッキン
１１  Ｏリング
１２  ハンドル
４０  結合ボディ
４１  シールチップ
４２  取り付けハンドルナット
４３  ホースプラグ
４４  Ｏリング
４５  閉止弁パッキン
４６  バネ
４７  押さえねじ
４８  クリックバネ
４９  クリックボール
５０  高圧ホース
【図１】
2004197763.tif 000003
【図２】
2004197763.tif 000004
【図３】
2004197763.tif 000005